(57)【要約】      （修正有）【課題】従来の疑似餌よりも、より本物の生き餌に似せる効果を高めると共に、水が酷く濁っていたり、あるいは暗くて著しく視界が悪い状況下においても獲物に疑似餌の存在を有効的に示すことが出来て、且つ丈夫で使用を繰り返しても効果が変わらず、使用中に釣糸が切れて疑似餌が回収不可能になり長期間水中に浸る事態に陥っても有害物質の流出が起こらない疑似餌を提供する。【解決手段】疑似餌１にトルマリン鉱石あるいは焦電体あるいは圧電体である物質３を備え付けることによって、生きた餌から発せられる生体電流の放電を模した放電を行う。【選択図】図１
2020022379.tif 000002
【特許請求の範囲】
【請求項１】
表層面にトルマリン鉱石あるいは焦電体あるいは圧電体である物質を備え付けた疑似餌。
【請求項２】
疑似餌に設けられた小部屋にトルマリン鉱石あるいは焦電体あるいは圧電体である物質を封入した疑似餌。
【請求項３】
焦電効果あるいは圧電効果を有する糸状あるいは帯状の部材の一端を遊動状態で取り付けた疑似餌。
【請求項４】
疑似餌本体が焦電効果あるいは圧電効果を有する弾性素材からなる疑似餌。
【請求項５】
トルマリン鉱石あるいは焦電体あるいは圧電体である物質が封入されたカプセルを疑似餌本体の外部に取り付けた疑似餌。
【発明の詳細な説明】
【技術分野】
【０００１】
本発明は、漁業で使用する疑似餌に関するものである。
【背景技術】
【０００２】
従来の疑似餌においては、獲物の興味をひくため、疑似餌の彩色や光の反射を工夫して視覚を刺激する、あるいは、疑似餌の内部に設けられた小部屋に固形物の粒を遊動可能な状態で封入することにより、疑似餌の動きに応じて音を発し聴覚を刺激するなどしていた。
【０００３】
しかしながら、従来技術における視覚を刺激する方法においては、水が著しく濁った状況、あるいは、夜間や水深の深い場所のように光量の少ない状況においては、視界が悪いため獲物から疑似餌が見え難く、充分な効果が得られなかった。また、聴覚を刺激する方法においては、本物の餌に似せるというよりも、奇抜な現象で獲物の興味をひくことを意図したものであり、獲物の興味をひいたとしても捕食行動に至らせる効果は低かった。
【０００４】
また、獲物の餌となる小魚や小動物から発せられる生体電流を模した放電を行うという概念はあったものの、実施に当たり致命的な弊害が生じ実用的ではなく普及するに至らなかった。
【発明の概要】
【発明が解決しようとする課題】
【０００５】
従来の疑似餌よりも、より本物の生き餌に似せるための効果を付与すると共に、視界が悪い状況下においても獲物に疑似餌の存在を示すことが可能で、且つ実使用に耐えうる強度を備え、環境への悪影響の少ない疑似餌を提供する。
【課題を解決するための手段】
【０００６】
本発明においては、疑似餌にトルマリン鉱石あるいは焦電体あるいは圧電体である物質を備えることにより、本物の生き餌から発せられる生体電流を模した放電を行う。
【発明の効果】
【０００７】
魚類の餌となる小魚や小動物といった生命体からは、生体電流が放電されることが知られている。
【０００８】
また、トルマリン鉱石あるいは焦電体あるいは圧電体である物質において、それらの物質に圧力や温度の変化が加わると生体電流に近い電流が生じる性質が知られている。
【０００９】
本発明における疑似餌は、本体の表層面あるいは内部に設けられた小部屋あるいは疑似餌の外部に、トルマリン鉱石あるいは焦電体あるいは圧電体である物質を備えるか、あるいは疑似餌本体を焦電効果あるいは圧電効果を有する弾性素材で形成することにより、疑似餌の動きに応じて生じる水圧や温度の変化あるいは摩擦や振動といった物理的な作用によって、疑似餌から魚類の餌となる生命体の生体電流に似た放電が可能となり、従来の疑似餌よりも、より本物の生き餌に似せる効果を得ることができる。
【００１０】
また、放電は視界の状況に影響されることなく一様に行われるため、視界が悪い状況下においても獲物に疑似餌の存在を有効的に示すことができる。
【００１１】
尚、従来の技術において、疑似餌の本体を複数個からなる連結構造とし連結部を帯状の圧電性膜で接続し、疑似餌の動作によって圧電性膜を伸縮させて電気を放電させるものがあるが、水の抵抗力だけで圧電性膜を充分に伸縮させることが困難であったり、また、疑似餌の釣針に獲物が掛かったり根掛かりするなどして、連結部に大きな力が加わると圧電性膜が破損するといった耐久性の問題があった。
【先行技術文献】
【非特許文献】
【００１２】
【非特許文献１】実開平６−６１０６９ また、疑似餌の本体内に電子回路を組み込み、電子回路によって制御された電気信号を放電する疑似餌においては、電子回路の部品コストが高く、また、電池を内蔵しているため、釣糸が切れて疑似餌を回収できなくなった場合、電池が水中に取り残される結果となり環境への悪影響が大きかった。
【非特許文献２】実開平５−２６６９
【００１３】
本発明によれば、疑似餌に大きな力が加わっても機能を損なうことは無く、また、疑似餌が水中に取り残された場合でも、トルマリン鉱石あるいは焦電体あるいは圧電体である物質は有害な物質を含んでおらず、また、水に溶けることも無いため、有害物質が水中に溶け出すようなことは起こりえない。
【図面の簡単な説明】
【００１４】
【図１】本発明に関わる疑似餌の実施例１の側面図
【図２】本発明に関わる疑似餌の実施例２の側面図
【図３】本発明に関わる疑似餌の実施例３の側面図
【図４】本発明に関わる疑似餌の実施例４の側面図
【図５】本発明に関わる疑似餌の実施例５の側面図
【発明を実施するための形態】
【００１５】
本発明の疑似餌につき、以下の実施例に沿って説明する。
【実施例１】
【００１６】
最も容易に本発明を実施する方法として、疑似餌本体１の表層面にトルマリン鉱石あるいは焦電体あるいは圧電体である物質３の粉末を全面あるいは部分的に塗布するか、あるいは、焦電効果あるいは圧電効果を有するシート状の部材を貼付する。また、この方法によれば、既存の本発明の施されていない疑似餌であっても、容易に本発明を取り入れることが可能である。
【実施例２】
【００１７】
疑似餌本体１の内部に設けられた小部屋４にトルマリン鉱石あるいは焦電体あるいは圧電体である物質３を遊動可能な状態で封入した。トルマリン鉱石あるいは焦電体あるいは圧電体からなる物質３は、疑似餌の用途により粉末あるいは粒の粒度を使い分けることにより、放電される電気の電圧や電流、あるいは疑似餌から発せられる振動音を変えることができる。また、小部屋４に金属球５を同封することにより、トルマリン鉱石あるいは焦電体あるいは圧電体からなる物質３に加わる荷重あるいは衝撃が大きくなり、生じる電気も増大する。
【実施例３】
【００１８】
焦電効果あるいは圧電効果を有する、糸状あるいは帯状の弾性部材３を疑似餌本体１に取り付けた。
【実施例４】
【００１９】
小魚や小動物の形状を模した疑似餌本体１を、焦電効果あるいは圧電効果を有する弾性素材３で形成した。
【実施例５】
【００２０】
トルマリン鉱石あるいは焦電体あるいは圧電体である物質３が封入されたカプセル７を、接着あるいはネジ止め、あるいは嵌合により、疑似餌本体１の外部に取り付けた。この方法によれば、既存の本発明の施されていない疑似餌であっても、容易に本発明を取り入れることが可能であり、また、必要に応じて脱着することが可能である。また、封入されるトルマリン鉱石あるいは焦電体あるいは圧電体である物質３の粒度の異なるカプセル７を複数種類、用意することにより、状況によって放電の仕様を変更することが可能となる。
【符号の説明】
【００２１】
１．     疑似餌本体
２．     釣針
３．     トルマリン鉱石あるいは焦電体あるいは圧電体である物質あるいは素材あるいは部材
４．     疑似餌の内部に設けられた小部屋
５．     金属球
６．     釣糸連結部
７．     トルマリン鉱石あるいは焦電体あるいは圧電体である物質を封入したカプセル
【図１】
2020022379.tif 000003
【図２】
2020022379.tif 000004
【図３】
2020022379.tif 000005
【図４】
2020022379.tif 000006
【図５】
2020022379.tif 000007